(57)【要約】【課題】端部から生じる亀裂が発生しにくく、中途部から切断されるのを効果的に防ぐことができ、また、デザイン的に優れ見栄えのよいゴーグルの弾性バンドを提供する。【解決手段】幅方向の両端部の色と他の部分の色とを互いに異ならせている。また、幅方向の中央部が薄く幅方向の両端部が厚くなるように形成されている。【選択図】図１５
2004073878.tif 000002
【特許請求の範囲】
【請求項１】
　幅方向の両端部の色と他の部分の色とを互いに異ならせていることを特徴とするゴーグルの弾性バンド。
【請求項２】
　幅方向の中央部が薄く幅方向の両端部が厚くなるように形成されていることを特徴とするゴーグルの弾性バンド。
【請求項３】
　幅方向の中央部が薄く幅方向の両端部が厚くなるように形成され、幅方向の両端部の色と他の部分の色とを互いに異ならせていることを特徴とするゴーグルの弾性バンド。
【請求項４】
　シリコンゴムによる二色押し出しによって形成されていることを特徴とする請求項１〜３に記載のゴーグルの弾性バンド。
【発明の詳細な説明】
【技術分野】
【０００１】
　本発明は、遊泳用、競泳用、スキー用等のゴーグルの弾性バンドに関する。
【背景技術】
【０００２】
　遊泳用、競泳用、スキー用等のゴーグルには、ゴーグル本体の左右両端部に、弾性バンドをバンド連結具を介して連結するようにしたものがあるが、この種の従来のゴーグルは、図１９に示す如くバンド連結具５１の左右方向内端部側に、ゴーグル本体５２の左右両端部に着脱自在に係合される係合部５３を設けると共に、バンド連結具５１の左右方向外端部側に、弾性バンドを連結するバンド連結部５４を設けている（例えば、特開平７−６７９８３号公報）。
　しかし、この場合、ゴーグル本体５２からバンド連結具５１のバンド連結部５４が左右方向外方に大きく突出しているため、外観上の体裁が悪くなるばかりではなく、バンド連結具５１が泳ぐ際等の大きな抵抗になるという問題があった。
【０００３】
　そこで、図２０乃至図２２に示す如くゴーグル本体５２からバンド連結具５１が左右方向外方に大きく突出しないようにするため、ゴーグル本体５２の左右両端部に、バンド連結具５１が嵌合するように凹んだ取付凹部５７を設け、バンド連結具５１を取付凹部５７に嵌合保持するようにしたものもある（例えば、特開平９−６６１１９号公報）。
　しかし、この場合、バンド連結具５１を取付凹部５７に嵌合保持しており、バンド連結具５１のバンド連結部５４も取付凹部５７内にあるため、弾性バンド５８を長さ調整する場合、その都度、バンド連結具４を取付凹部５７から取り外さなければならず、このため弾性バンド５８の長さ調整が非常に面倒になった。しかも、バンド連結具５１の取付凹部５７への着脱が容易でなく、ゴーグル本体５２の交換等も面倒であった。
【発明の開示】
【発明が解決しようとする課題】
【０００４】
　本発明は、上記問題点に鑑み、ゴーグル本体の左右両端部にバンドを連結するためのバンド連結具がゴーグル本体から大きく外方突出しないようにすると共に、バンドの長さ調整やゴーグル本体の交換等も容易になし得るようにしたものである。
【課題を解決するための手段】
【０００５】
　この技術的課題を解決するための本発明の第１の技術的手段は、ゴーグル本体２の左右方向両端部に、バンド３をバンド連結具４を介して連結するようにしたゴーグルにおいて、
　ゴーグル本体２の左右両端部に、バンド連結具４が嵌合するように凹んだ取付凹部１５が設けられ、バンド連結具４を取付凹部１５に嵌合する嵌合位置に保持するように、バンド連結具４を取付凹部１５に係合する第１係合機構２１が設けられ、バンド連結具４を取付凹部１５に嵌合する嵌合位置と嵌合位置から外れる非嵌合位置とに揺動自在に保持するように、バンド連結具４を取付凹部１５に係合する第２係合機構２２が設けられている点にある。
【０００６】
　従って、ゴーグル本体２の左右方向両端部に、バンド連結具４を装着する場合、第２係合機構２２でバンド連結具４を取付凹部１５に係合した後、バンド連結具４を非嵌合位置から嵌合位置に揺動すればよく、ゴーグル本体２にバンド連結具４を簡単に装着できる。また、バンド連結具４の装着後は、バンド連結具４が取付凹部１５に嵌合した状態に保持され、ゴーグル本体２からバンド連結具４が左右方向外方に大きく突出することがなくなり、外観上の体裁が良くなるばかりではなく、泳ぐ際等にバンド連結具４が大きな抵抗になることもなくなる。しかも、ゴーグル本体２に連結したバンド３を長さ調整する場合、バンド連結具４を嵌合位置から外れた非嵌合位置に揺動して、第２係合機構２２によってバンド連結具４をゴーグル本体２に係合保持したままで、バンド３を容易に長さ調整することが可能になる。
【０００７】
　本発明の第２の技術的手段は、前記第２係合機構２２でバンド連結具４を取付凹部１５に係合した状態で、バンド連結具４を前記嵌合位置から非嵌合位置に揺動したとき、前記
第１係合機構２１による係合が解除されるように構成されている点にある。
　従って、バンド連結具４を前記嵌合位置から非嵌合位置に揺動することにより、第１係合機構２１による係合を簡単に解除して、バンド連結具４を非嵌合位置にセットすることができる。
　本発明の第３の技術的手段は、前記第２係合機構２２でバンド連結具４を取付凹部１５に係合した状態で、バンド連結具４を前記嵌合位置から非嵌合位置に揺動したとき、前記第１係合機構２１による係合が解除され、さらにバンド連結具４を同方向に揺動したとき、第２係合機構２２による係合が解除されるように構成されている点にある。
【０００８】
　従って、バンド連結具４を前記嵌合位置から非嵌合位置に揺動したとき、前記第１係合機構２１による係合が解除され、さらにバンド連結具４を同方向に揺動したとき、第２係合機構２２による係合が解除され、バンド連結具４を一連の揺動動作によってゴーグル本体２から簡単に取り外すことができる。
　本発明の第４の技術的手段は、前記第２係合機構２２でバンド連結具４を取付凹部１５に係合した状態で、バンド連結具４を前記非嵌合位置から嵌合位置に揺動したとき、前記第１係合機構２１でバンド連結具４を取付凹部１５に係合するように構成されている点にある。
【０００９】
　従って、第２係合機構２２でバンド連結具４を取付凹部１５に係合した後に、バンド連結具４を前記非嵌合位置から嵌合位置に揺動させることにより、第１係合機構２１でバンド連結具４を取付凹部１５に係合して、バンド連結具４を取付凹部１５に簡単に嵌合保持することができ、バンド連結具４をゴーグル本体２に容易かつ確実に装着できる。
　本発明の第５の技術的手段は、前記第１係合機構２１は、取付凹部１５に突設した係止片２５と、該係止片２５に対応してバンド連結具４に突設した係合片２６とを備え、バンド連結具４を取付凹部１５に嵌合した際に、係合片２６が対応する係止片２５に係合して、バンド連結具４を取付凹部１５に嵌合する嵌合位置に保持するように構成されている点にある。
【００１０】
　従って、取付凹部１５の係止片２５と、バンド連結具４の係合片２６とを係合することにより、バンド連結具４を取付凹部１５に嵌合保持することができる。　本発明の第６の技術的手段は、前記第２係合機構２２は、取付凹部１５に設けられた上下一対の係合凹部２８と、バンド連結具４に設けられた上下一対の係合凸部２９とを備え、係合凹部２８と係合凸部２９との係合により、バンド連結具４を取付凹部１５に一対の係合凸部２９廻りに揺動自在に保持するように構成されている点にある。
　従って、一対の係合凹部２８と一対の係合凸部２９との係合により、バンド連結具４を取付凹部１５に嵌合する嵌合位置と嵌合位置から外れる非嵌合位置とに揺動自在に簡単に保持することができる。
【００１１】
　本発明の第７の技術的手段は、前記バンド連結具４の外面がゴーグル本体２の外面と略面一になるように、バンド連結具４が取付凹部１５に嵌合するように構成さている点にある。
　従って、バンド連結具４を取付凹部１５に嵌合させてゴーグル本体２に装着した場合、バンド連結具４とゴーグル本体２との間に凹凸が生じることがなくなり、外観上見栄えがよくなるし、バンド連結具４のゴーグル本体２への装着部分が泳ぐ際等の大きな抵抗になるようなこともなくなる。
【００１２】
　本発明の第８の技術的手段は、バンド連結具４に連結されたバンド３をバンド連結具４の左右方向外端部との間で挟持するように、前記取付凹部１５の左右方向外端部に挟持片３１が突設されている点にある。
　従って、挟持片３１とバンド連結具４の外端部との間で、バンド３を挟持して、バンド連結具４のバンド連結部１８に連結したバンド３をゴーグル本体２に対して固定でき、バンド３が水に濡れてもバンド３の連結位置がずれることがなくなる。
　本発明の第９の技術的手段は、前記挟持片３１は、ゴーグル本体２の外周部に嵌合装着される環状パッド６の一部を、ゴーグル本体２の外周部との間で、挟持するように構成されている点にある。
【００１３】
　従って、挟持片３１とゴーグル本体２の外周部との間で、環状パッド６の一部を挟持することにより、ゴーグル本体２に対する環状パッド６のずれや外れを防止できる。
【発明の効果】
【００１４】
　本発明によれば、バンド３をバンド連結具４を介して連結した際には、バンド連結具４の略全体が、ゴーグル本体２の左右両端部の凹んだ取付凹部１５内に嵌合した状態になり、ゴーグル本体２からバンド連結具４が左右方向外方に大きく突出するようなことがなくなり、ゴーグル本体２の左右方向両端部が凹凸や突出部分のないすっきりした形状になり、外観上の体裁が良くなると共に、バンド連結具４が泳ぐ際等の大きな抵抗になることもなくなる。
　しかも、ゴーグル本体２にバンド連結具４を装着した状態から、バンド連結具４を嵌合位置から外れて非嵌合位置に揺動することにより、バンド連結具４をゴーグル本体２に係合保持したままで、弾性バンド３を容易に長さ調整することが可能になり、従来のようにバンド３を長さ調整する際にその都度バンド連結具４を取付凹部１５から取り外す必要がなくなり、このためバンド３の長さ調整が非常に楽になる。また、バンド連結具４の取付凹部１５への着脱も容易になり、ゴーグル本体２の交換等も簡単になし得る。
【発明を実施するための最良の形態】
【００１５】
　以下、本発明の実施の形態を図を参照して説明する。
　図３において、遊泳用、競泳用のゴーグル１は、ゴーグル本体２と、弾性バンド３と、ゴーグル本体２の左右両端部に弾性バンド３を連結するための左右一対のバンド連結具４とを備え、ゴーグル本体２は、左右のゴーグル体２Ｌ，２Ｒと、該左右のゴーグル体２Ｌ，２Ｒの左右間隔を調整するため該ゴーグル体２Ｌ，２Ｒの内端を互いに係脱自在として連結する可撓性を有するジョイント５とから成る。
　ゴーグル体２Ｌ，２Ｒの顔面当てがい用の端縁部には、顔面に密着しかつ顔面に強い衝撃を与えないために柔軟な弾力を有する環状パッド６が設けられている。即ち、図１及び図２に示すように、ゴーグル体２Ｌ，２Ｒの外周部にフランジ状に突出した取付片７が設けられ、環状パッド６に取付片７に嵌合する嵌着部８が設けられ、この嵌着部８は、外周壁９と内周壁１０とこれら周壁９，１０を連結する連結壁１１とを有する断面コの字状に形成されており、ゴーグル体２Ｌ，２Ｒの取付片７に環状パッド６の嵌着部８を嵌合することにより、ゴーグル体２Ｌ，２Ｒに環状パッド６が着脱自在に装着されている。
【００１６】
　ゴーグル体２Ｌ，２Ｒは、透明又は半透明の硬質合成樹脂製であって少なくともそのレンズ面は防曇処理が施されている。
　なお、ゴーグル体２Ｌ，２Ｒのレンズ面は度付でも度なしであってもよく、レンズ面はゴーグル体２Ｌ，２Ｒと一体成形されることが望ましいが、レンズ面はゴーグル本体２とは別個に作って嵌め込み式にしたものであってもよい。
　図１〜図１２において、バンド連結具４は、合成樹脂等により基部４ａと、該基部４ａの上下両側から左右方向内方に突出した上下一対の突出部４ｂとを有するＹ字状に形成されている。ゴーグル本体２の左右方向両端部、即ち左右のゴーグル体２Ｌ，２Ｒの各外端部には、バンド連結具４を嵌合するように凹んだ取付凹部１５が設けられている。各取付凹部１５は、バンド連結具４の形状に対応してＹ字状に形成されており、バンド連結具４が取付凹部１５に嵌合されることにより、バンド連結具４が取付凹部１５内に略収まり、バンド連結具４の外面がゴーグル本体２の外面と面一になるように構成されている。
【００１７】
　前記バンド連結具４の基部４ａに、前後一対の挿通孔１６と該一対の挿通孔１６間に位置する連結片１７とを有するバンド連結部１８が設けられ、一対の挿通孔１６に弾性バンド３を挿通して連結片１７に弾性バンド３を卷回することにより、バンド連結部１８に弾性バンド３の中途部を折り返して連結できるようになっている。
　前記取付凹部１５とこれに対応するバンド連結具４との間に、バンド連結具４を取付凹部１５に嵌合する嵌合位置に保持するように、バンド連結具４を取付凹部１５に係合する第１係合機構２１が設けられると共に、取付凹部１５とバンド連結具４との間に、バンド連結具４を取付凹部１５に嵌合する嵌合位置と嵌合位置から外れる非嵌合位置とに揺動自在に保持するように、バンド連結具４を取付凹部１５に係合する第２係合機構２２が設け
られている。
【００１８】
　前記第１係合機構２１は、取付凹部１５の中央部に前方突設した係止片２５と、係止片２５に対応してバンド連結具４に左右方向内方に突設した係合片２６とを備え、バンド連結具４を取付凹部１５に嵌合した際に、係合片２６は、対応する係止片２５にバンド連結具４の左右方向外方移動及び前方移動を規制するように係合し、これにより、バンド連結具４を取付凹部１５に嵌合する嵌合位置に保持する。この係合片２６は、ゴーグル本体２に対してバンド連結具４を図１６に示す矢印ａ方向に回動操作することにより、係合片２６又は係止片２５の弾性変形によって、係止片２５に対し係脱可能である。
【００１９】
　第２係合機構２２は、ゴーグル本体２の左右方向両端部即ち取付凹部１５に設けられた上下一対の係合凹部２８と、バンド連結具４に設けられた上下一対の係合凸部２９とからなる。上下一対の係合凹部２８は、ゴーグル本体２の左右方向両端部即ち取付凹部１５の、前記係止片２５よりも左右方向内方側に互いに上下に離間して設けられ、各係合凹部２８は上下方向内方に没入形成されている。上下一対の嵌合凸部２９は、バンド連結具４の上下一対の突出部４ｂに、前記上下一対の係合凹部２８に対応するように設けられ、各係合凸部２９は上下方向内方に突出形成されている。
【００２０】
　係合凹部２８と係合凸部２９との係合により、ゴーグル本体２の左右両端部即ち取付凹部１５に対してバンド連結具４を、係合凸部２９廻り（図１６に示す矢印ａ，ｂ方向）に揺動可能に保持するように構成され、バンド連結具４が係合凸部２９廻りに矢印ａ方向に揺動することにより、バンド連結具４を取付凹部１５に嵌合する嵌合位置と嵌合位置から外れる非嵌合位置とに揺動するようになっている。
　また、バンド連結具４が取付凹部１５に嵌合する嵌合位置から外れる非嵌合位置とに揺動した後、さらにゴーグル本体２に対してバンド連結具４を図１６に示す矢印ｂ方向（矢印ａ方向と同一方向）に揺動操作することにより、係合凸部２９又はバンド連結具４の弾性変形によって、一対の係合凸部２９とこれに対応する一対の係合凹部２８との係合が外れて、ゴーグル本体２からバンド連結具４が外れるように構成されている。
【００２１】
　従って、前記第２係合機構２２でバンド連結具４を取付凹部１５に係合した状態で、バンド連結具４を矢印ａ方向に揺動して前記嵌合位置から非嵌合位置とに揺動したとき、前記第１係合機構２１による係合が解除され、さらにバンド連結具４を同方向（図１６に示す矢印ｂ方向）に揺動したとき、第２係合機構２２による係合が解除されるように構成されている。また、第２係合機構２２でバンド連結具４を取付凹部１５に係合した状態で、バンド連結具４を矢印ａ方向に揺動して前記非嵌合位置から嵌合位置とに揺動したとき、前記第１係合機構２１でバンド連結具４を取付凹部１５に係合して、バンド連結具４が取付凹部１５に嵌合する嵌合位置に保持されるように構成されている。
【００２２】
　そして、一対の係合凸部２９を一対の係合凹部２８に係合させると共に、バンド連結具４の係合片２６を取付凹部１５の係止片２５に係合させることにより、バンド連結具４の外面がゴーグル本体２の外面と略面一になるように取付凹部１５内にバンド連結具４が嵌合保持されるようになっている。
　取付凹部１５の係止片２５より左右方向外端部に、挟持片３１が左右方向外方に突設されている。この挟持片３１は、バンド連結具４に連結された弾性バンド３を、バンド連結具４の左右方向外端部との間で挟持するようになっている。また、挟持片３１は、ゴーグル体２Ｌ，２Ｒの外周部に突出した取付片７との間で、環状パッド６の嵌着部８の外周壁９を挟持し、これによりゴーグル本体２に対する環状パッド６のずれや外れを防止できるようになっている。
【００２３】
　前記弾性バンド３は、図１３及び図１４に示すようにゴム等にて一本の帯紐状に構成され、その両端部同士を接続体３３によって接続して環状に形成され、図３に示すように弾性バンド３の中途部が一対のバンド連結具４の連結片１４に夫々卷回されて折り返され、これにより弾性バンド３は内側バンド部３ａと外側バンド部３ｂとを内外二重に備えるツインバンドとされている。
　前記弾性バンド３は、図１５に示すように、シリコンゴムによる二色押し出しによって、幅方向の中央部が薄く幅方向の両端部が厚くなるように形成され、幅方向の両端部の色
と他の部分の色とを互いに異ならせている。従って、弾性バンド３は幅方向の中央部が薄く形成されているため、弾性バンド３の伸びが良くなり、しかも幅方向の両端部が厚くなっているため、弾性バンド３の端部から生じる亀裂が発生しにくくなり、弾性バンド３が中途部から切断されるのを効果的に防ぐことができる。また、弾性バンド３の幅方向の両端部の色とそれ以外の他の部分の色とが互いに異ならされているため、このような二色使いのバンドは従来にもなく目新しくて、デザイン的に優れ見栄えのよいものとなる。
【００２４】
　前記実施の形態によれば、ゴーグル本体２の左右方向両端部に、弾性バンド３を連結する場合、バンド連結具４のバンド連結部１８に弾性バンド３を卷回装着した状態で、バンド連結具４の一対の係合凸部２９を取付凹部１５の一対の係合凹部２８に係合する。すると、係合凹部２８と係合凸部２９との係合によりゴーグル本体２の左右両端部に対してバンド連結具４が、一対の係合凸部２９廻り（図１６に示す矢印ａ，ｂ方向）に揺動可能に係合保持される。その後、第２係合機構２２でバンド連結具４を取付凹部１５に係合した状態で、バンド連結具４を矢印ａ方向に揺動して前記非嵌合位置から嵌合位置に揺動する。これにより、バンド連結具４を取付凹部１５に嵌合した際に、係合片２６は、対応する係止片２５にバンド連結具４の左右方向外方移動及び前方移動を規制するように係合し、これにより、バンド連結具４の外面がゴーグル本体２の外面と略面一になるように取付凹部１５にバンド連結具４が嵌合保持される。
【００２５】
　次に、ゴーグル本体２に連結した弾性バンド３を長さ調整する場合、ゴーグル本体２にバンド連結具４を装着した状態から、バンド連結具４の左右方向外端部を撮んで、バンド連結具４を図１６に示す矢印ａ方向に揺動操作すると、係合片２６の係止片２５に対する係合が外れ、係合凹部２８と係合凸部２９との係合した状態のまま、即ち第２係合機構２２でバンド連結具４を取付凹部１５に係合したまま、バンド連結具４が嵌合位置から外れて非嵌合位置に揺動し、バンド連結具４のバンド連結部１８がゴーグル本体２から離れる。その結果、バンド連結具４をゴーグル本体２に係合保持したままで、弾性バンド３のバンド連結部１８への卷回位置を変えて弾性バンド３を容易に長さ調整することが可能になる。
【００２６】
　また、ゴーグル本体２からバンド連結具４乃至弾性バンド３を取り外す場合、バンド連結具４を図１６に示す矢印ａ方向に揺動操作して、係合片２６の係止片２５に対する係合を外して、バンド連結具４を嵌合位置から外れた非嵌合位置に揺動し、さらにバンド連結具４を同方向（図１６に示す矢印ｂ方向）に揺動操作すると、バンド連結具４の内端縁部４ｃの一部が取付凹部１５の内端縁部１５ｃに接当押圧されて、その結果、バンド連結具４を矢印ｂ方向に揺動操作する力が、前記接当押圧した内端縁部４ｃの一部を支点として一対の係合凸部２９を一対の嵌合凹部２８に対して左右方向外方に移動させるように作用し、軽い力でも一対の係合凸部２９がこれに対応する一対の係合凹部２８から簡単に外れ、ゴーグル本体２からバンド連結具４がた易く取り外ずす（分離する）ことができる。
【００２７】
　従って、弾性バンド３の長さ調整及びバンド連結具４のゴーグル本体２からの取り外しが、バンド連結具４の矢印ａ，ｂ方向への揺動による一連の動作でできるため、弾性バンド３の微調整も煩わしくなくなり、ゴーグル本体２乃至左右のゴーグル体２Ｌ，２Ｒの交換も容易にできるようになり、特にゴーグル体２Ｌ，２Ｒの交換がよく行われる度付きスイミングゴーグルに最適である。
　また、バンド連結具４をゴーグル本体２に装着した後は、挟持片３１により、バンド連結具４の外端部との間で、弾性バンド３を挟持して、バンド連結具４のバンド連結部１８に連結した弾性バンド３をゴーグル本体２に対して固定するので、弾性バンド３が水に濡れても弾性バンド３がずれることがなくなる。特に、ツインバンドの場合、上下に離間させて頭部に装着した内側バンド部３ａと外側バンド部３ｂとの長さを変えて固定できるため、より使用者の頭部にフィットし易くなる。また、挟持片３１は、ゴーグル本体２の外周部の取付片７との間で、環状パッド６の嵌着部８の外周壁９を挟持し、これにより、ゴーグル本体２に対する環状パッド６のずれや外れを防止できる。
【００２８】
　なお、前記実施の形態では、ゴーグル本体２は、左右のゴーグル体２Ｌ，２Ｒと、ジョイント５とからなるが、これに代え、ゴーグル本体２を合成樹脂等により一体に形成する
ようにしてもよい。
　また、前記実施の形態では、本発明を遊泳用又は競泳用のゴーグルに実施しているが、これに代え、本発明をスキー用その他のゴーグルに適用実施するようにしてもよい。
　また、前記実施の形態では、第２係合機構２２の係合凹部２８を取付凹部１５に設け、第２係合機構２２の係合凸部２９をバンド連結具４に設けているが、これに代え、第２係合機構２２の係合凹部２８をバンド連結具４に設け、第２係合機構２２の係合凸部１９を取付凹部１５に設けるようにしてもよい。
【００２９】
　また、前記実施の形態では、弾性バンド３をシリコンゴムにより構成しているが、これに代え、弾性バンド３をシリコンゴム以外のエラストマにより形成するようにしてもよい。
　また、前記実施の形態では、弾性バンド３を内側バンド部３ａと外側バンド部３ｂとを備えるツインバンドとしているが、これに代え、弾性バンド３として、バンド部が内外２重になっていない図１７に示すようなシングルバンドを使用するようにしてもよいし、また図１８に示すようなダブルバンドを使用するようにしてもよい。
【図面の簡単な説明】
【００３０】
【図１】本発明の実施の形態を示す平面断面図である。
【図２】同側面断面図である。
【図３】同全体斜視図である。
【図４】同ゴーグル体の正面図である。
【図５】同ゴーグル体の平面図である。
【図６】同ゴーグル体の背面図である。
【図７】同ゴーグル体の側面図である。
【図８】同バンド連結具の正面図である。
【図９】同バンド連結具の平面図である。
【図１０】同バンド連結具の左側面図である。
【図１１】同バンド連結具の右側面図である。
【図１２】同図８のＡ−Ａ線断面図である。
【図１３】同弾性バンドの正面図である。
【図１４】同弾性バンドの側面図である。
【図１５】同図１３のＢ−Ｂ線断面図である。
【図１６】同作用動作説明用の斜視図である。
【図１７】弾性バンドの変形例を示す正面図である。
【図１８】弾性バンドの変形例を示す正面図である。
【図１９】従来例を示す平面断面図である。
【図２０】他の従来例を示す斜視図である。
【図２１】同ゴーグル本体の正面図である。
【図２２】同平面断面図である。
【符号の説明】
【００３１】
　１　　ゴーグル
　２　　ゴーグル本体
　３　　弾性バンド
　４　　バンド連結具
　６　　環状パッド
１５　　取付凹部
２１　　第１係合機構
２２　　第２係合機構
２５　　係止片
２６　　係合片
２８　　係合凹部
２９　　係合凸部
３１　　挟持片
【図１】
2004073878.tif 000003
【図２】
2004073878.tif 000004
【図３】
2004073878.tif 000005
【図４】
2004073878.tif 000006
【図５】
2004073878.tif 000007
【図６】
2004073878.tif 000008
【図７】
2004073878.tif 000009
【図８】
2004073878.tif 000010
【図９】
2004073878.tif 000011
【図１０】
2004073878.tif 000012
【図１１】
2004073878.tif 000013
【図１２】
2004073878.tif 000014
【図１３】
2004073878.tif 000015
【図１４】
2004073878.tif 000016
【図１５】
2004073878.tif 000017
【図１６】
2004073878.tif 000018
【図１７】
2004073878.tif 000019
【図１８】
2004073878.tif 000020
【図１９】
2004073878.tif 000021
【図２０】
2004073878.tif 000022
【図２１】
2004073878.tif 000023
【図２２】
2004073878.tif 000024